(57)【要約】      （修正有）【課題】昇降路内に落下した昇降路内落下物を容易に且つ迅速に回収することができるエレベータ装置を得る。【解決手段】昇降路２内を昇降するかご１と、このかご内の状況を外部から確認する確認手段と、かご床８に設けられ、かご１の下方に通じる開口部８ａと、かご床８に設けられ、開口部８ａを開閉する蓋９と、外部からの遠隔操作によって蓋９を施錠及び解錠する施錠装置と、昇降路下部に設けられて昇降路内落下物を受け止めるとともに、受け止めた昇降路内落下物を開口部の下方に案内する落下物受止部１５とを備える。【選択図】図１
2006341965.tif 000002
【特許請求の範囲】
【請求項１】
エレベータ昇降路内を昇降するかごと、このかご内の状況を外部から確認する確認手段と、前記かごのかご床に設けられ、前記かごの下方に通じる開口部と、前記かご床に設けられ、前記開口部を開閉する蓋と、外部からの遠隔操作によって前記蓋を施錠及び解錠する施錠装置と、前記昇降路下部に設けられて昇降路内落下物を受け止めるとともに、受け止めた前記昇降路内落下物を前記開口部の下方に案内する落下物受止部とを備えたことを特徴とするエレベータ装置。
【請求項２】
確認手段は、かごに設けられて前記かご内を撮影する監視カメラと、前記かごに設けられて外部と通話可能な通話手段とを備えたことを特徴とする請求項１に記載のエレベータ装置。
【請求項３】
監視カメラは、前記監視カメラのかご内画像に基づいて、外部から蓋の開閉状態を確認することができるように構成されたことを特徴とする請求項２に記載のエレベータ装置。
【請求項４】
落下物受止部は、かご床に設けられた開口部の直下部に配置された収容部と、かごドア及び乗場ドア間に形成された間隙の下方一帯に配置されて、昇降路内落下物を前記収容部に案内する受け部とを備えたことを特徴とする請求項１から請求項３の何れかに記載のエレベータ装置。
【請求項５】
かご床に設けられた開口部は、前記かご床の乗場側に配置されたことを特徴とする請求項１から請求項４の何れかに記載のエレベータ装置。
【請求項６】
かご床に設けられた蓋の開閉を検出する検出スイッチが設けられたことを特徴とする請求項１から請求項５の何れかに記載のエレベータ装置。
【請求項７】
エレベータ昇降路内に落下物が発生したことを外部に通報するステップと、エレベータのかごが前記昇降路下部に停止していることを前記外部が認識するステップと、前記かごのかご床に形成された開口部を塞ぐ蓋を前記外部からの操作によって解錠するステップと、前記開口部を介して前記かご内から昇降路内落下物を回収した後、前記蓋を前記外部からの操作によって施錠するステップとを備えたことを特徴とする昇降路内落下物の回収方法。
【請求項８】
かご内の状況を外部から確認する確認手段と、かご床から前記かごの下方に通じる開口部と、この開口部を開閉する蓋と、前記外部からの遠隔操作によって前記蓋を施錠及び解錠する解錠装置とを既設エレベータのかごに新設し、昇降路内落下物を受け止めるとともに、受け止めた前記昇降路内落下物を前記開口部の下方に案内する落下物受止部を既設エレベータの昇降路下部に新設することを特徴とするエレベータ装置の改修方法。
【発明の詳細な説明】
【技術分野】
【０００１】
この発明は、エレベータ昇降路内への落下物を容易に回収することができるエレベータ装置及び昇降路内落下物の回収方法、並びに、エレベータ昇降路内への落下物を容易に回収することができるように既設エレベータを改修するエレベータ装置の改修方法に関するものである。
【背景技術】
【０００２】
エレベータの利用者は、乗場とかごとを乗り降りする際、乗場とかごとの間に形成された隙間に誤って部屋の鍵等の小物を落としてしまうことがある。このような昇降路内落下物は、通常エレベータのピット部まで落下してしまうため、エレベータ管理会社等に連絡して専門の保守員等が派遣されるまで取り出すことはできなかった。そこで、従来のエレベータ装置には、エレベータの最下階の乗場床とエレベータのかごとの間に形成された隙間の下側に落下物を受け止める落下物受け止め板を設置するとともに、最下階の乗場の床下に、落下物受け止め板を介して落下物を回収する落下物回収箱とを設置したものが提案されている（例えば、特許文献１参照）。
【０００３】
【特許文献１】特開平７−１４４８４５号公報
【発明の開示】
【発明が解決しようとする課題】
【０００４】
特許文献１記載のエレベータ装置では、昇降路内落下物が落下物回収箱に回収された場合でも、乗場に設けられたマンホールの蓋を開放することができる者がエレベータ管理会社の保守作業員やエレベータ装置が設置されたビルの管理人等に限定されているため、昇降路内落下物を取り出すのに時間が掛かるという問題があった。なお、いたずらや事故を誘発する要因となるため、マンホールの蓋を誰でも開けることができるように構成することはできなかった。また、昇降路内落下物を回収する落下物回収箱が最下階の乗場の床下に設置されているため、設置工事が大掛かりになるとともに、建築体側の制限等も考慮しなければならないという問題が発生していた。特に既設エレベータに設置することは困難であった。
【０００５】
この発明は、上述のような課題を解決するためになされたもので、その目的は、エレベータ昇降路内に落下した昇降路内落下物を容易に且つ迅速に回収することができるエレベータ装置及び昇降路内落下物の回収方法並びに昇降路内落下物を容易に且つ迅速に回収することができるように既設エレベータを改修するエレベータ装置の改修方法を提供することである。
【課題を解決するための手段】
【０００６】
この発明に係るエレベータ装置は、エレベータ昇降路内を昇降するかごと、このかご内の状況を外部から確認する確認手段と、かごのかご床に設けられ、かごの下方に通じる開口部と、かご床に設けられ、開口部を開閉する蓋と、外部からの遠隔操作によって蓋を施錠及び解錠する施錠装置と、昇降路下部に設けられて昇降路内落下物を受け止めるとともに、受け止めた昇降路内落下物を開口部の下方に案内する落下物受止部とを備えたものである。
【０００７】
この発明に係る昇降路内落下物の回収方法は、エレベータ昇降路内に落下物が発生したことを外部に通報するステップと、エレベータのかごが昇降路下部に停止していることを外部が認識するステップと、かごのかご床に形成された開口部を塞ぐ蓋を外部からの操作によって解錠するステップと、開口部を介してかご内から昇降路内落下物を回収した後、蓋を外部からの操作によって施錠するステップとを備えたものである。
【０００８】
この発明に係るエレベータ装置の改修方法は、かご内の状況を外部から確認する確認手段と、かご床からかごの下方に通じる開口部と、この開口部を開閉する蓋と、外部からの遠隔操作によって蓋を施錠及び解錠する解錠装置とを既設エレベータのかごに新設し、昇降路内落下物を受け止めるとともに、受け止めた昇降路内落下物を開口部の下方に案内する落下物受止部を既設エレベータの昇降路下部に新設するものである。
【発明の効果】
【０００９】
この発明は、エレベータ昇降路内を昇降するかごと、このかご内の状況を外部から確認する確認手段と、かごのかご床に設けられ、かごの下方に通じる開口部と、かご床に設けられ、開口部を開閉する蓋と、外部からの遠隔操作によって蓋を施錠及び解錠する施錠装置と、昇降路下部に設けられて昇降路内落下物を受け止めるとともに、受け止めた昇降路内落下物を開口部の下方に案内する落下物受止部とを備える構成としたことで、エレベータ昇降路内に落下した昇降路内落下物を容易に且つ迅速に回収することができる。
【発明を実施するための最良の形態】
【００１０】
この発明をより詳細に説明するため、添付の図面に従ってこれを説明する。なお、各図中、同一又は相当する部分には同一の符号を付しており、その重複説明は適宜に簡略化ないし省略する。
【００１１】
実施の形態１．
図１はこの発明の実施の形態１におけるエレベータ装置の要部側面図である。図１において、１はエレベータ昇降路２内を昇降するかごであり、図１は、かご１がかごドア３と乗場ドア４が互いに対向するように最下階のエレベータ乗場５に停止している状態を示している。また、６はかご１を取り囲むように設けられてこのかご１を支持するかご枠、７はかご枠６に支持されたかご下支持部、８はかご下支持部７に支持されたかご床、８ａはかご床８に設けられてかご１の下方に通じる開口部、９はかご床８に設けられて開口部８ａを開閉する蓋、１０はこの蓋９の開閉を検出する検出スイッチである。なお、上記蓋９には、遠隔監視センタ等の外部からの遠隔操作によって蓋９を施錠及び解錠する施錠装置９ａ（図１において図示せず）が設けられている。
【００１２】
また、１１はかご１に設けられてかご１内を撮影する監視カメラ、１２はかご内操作盤１３に設けられたインターホン釦、１４は同じくかご内操作盤１３に設けられたインターホンである。なお、上記監視カメラ１１、インターホン釦１２、インターホン１４は遠隔監視センタ等の外部に接続されており、かご１に設けられて遠隔監視センタ等の外部と通話可能な通話手段は、上記インターホン釦１２及びインターホン１４から、また、かご１内の状況を外部から確認する確認手段は、上記監視カメラ１１及び通話手段から構成される。即ち、外部の遠隔監視センタ等において、監視カメラ１１により撮影されたかご内画像情報、インターホン釦１２が押された際の呼出情報、インターホン１４により入力される音声情報を検出することができる。
【００１３】
また、１５は、最下階の乗場５に停止したかご１のさらに下方となる昇降路２の下部に設けられ、昇降路２内に落下した昇降路内落下物１６を受け止めるとともに、受け止めた昇降路内落下物１６をかご床８に形成された開口部８ａの直下部に案内する落下物受止部である。この落下物受止部１５は、かご床８の開口部８ａの直下部に配置された収容部１５ａと、この収容部１５ａ及び乗場側昇降路壁１ａ間に設けられ、かごドア３及び乗場ドア４間に形成された間隙の下方一帯に配置されて、昇降路内落下物１６を収容部１５ａに案内するように収容部１５ａ側に傾斜した受け部１５ｂとから構成されている。なお、エレベータの利用者が乗場５とかご２とを乗り降りする際にかごドア３及び乗場ドア４間に形成された間隙に部屋の鍵等を誤って落としてしまった場合には、この昇降路内落下物１６は、そのまま昇降路２内を落下して受け部１５ｂに衝突するとともに、この受け部１５ｂに案内されて下方に移動し、収容部１５ａ内に収容される。
【００１４】
ここで、図２はこの発明の実施の形態１におけるエレベータ装置の要部平面図、図３はこの発明の実施の形態１における落下物受止部１５の取付配置図である。図２及び図３において、かご床８に形成される開口部８ａはかご床８の任意の場所に設けられる。例えば、図２における領域Ａ乃至Ｉの何れの位置でも良い。また、落下物受止部１５の収容部１５ａは、図３に示すように、かご床８に形成された開口部８ａの直下部に配置される。そして、収容部１５ａの周囲には、この収容部１５ａ側が低くなるように受け部１５ｂが斜設される。なお、受け部１５ｂの収容部１５ａから乗場側昇降路壁１ａまでの部分を小さくして落下物受止部１５自体を小型にするためには、かご床８に形成された開口部８ａを乗場５側、即ち、図２において領域Ａ乃至Ｃの位置に形成することが望ましい。
【００１５】
また、図４は、この発明の実施の形態１におけるエレベータ装置のブロック図である。図４において、上記かご１に設けられたインターホン１４、監視カメラ１１、施錠装置９ａはそれぞれ通信端末装置１７及び公衆回線１８を介してエレベータ保守管理会社等の遠隔監視センタ１９へと接続されている。即ち、インターホン１４を介してかご１内の利用者と遠隔監視センタ１９の監視員とが会話したり、監視カメラ１１のかご内画像から遠隔監視センタ１９の監視員がかご１内の状況を把握したり、遠隔監視センタ１９の監視員の遠隔操作によって施錠装置１９ａの施錠及び解錠をしたりすることができるように構成されている。
【００１６】
次に、エレベータ利用者が自分の部屋の鍵等を誤って昇降路２内に落としてしまった際の動作について、図５に示すフローチャートに基づいて説明する。
エレベータの利用者が、かご１への乗降の際にかごドア３と乗場ドア４との間に形成された間隙から昇降路２内に自分の部屋の鍵等を誤って落としてしまった場合（ステップＳ１０１）、先ず、この利用者は、かご１内のインターホン釦１２を押して外部の遠隔監視センタ１９に通報し、インターホン１４にて昇降路２の下部に落下物が発生した旨を報告する。この時、かご１内の監視カメラ１１の映像が遠隔監視センタ１９に送信される（ステップＳ１０２）。なお、監視カメラ１１の映像は、遠隔監視センタ１９に常時送信されるように構成しても、インターホン釦１２が押された非常時のみ送信されるように構成しても構わない。
【００１７】
遠隔監視センタ１９の監視員は、エレベータ利用者からの上記報告を受けることにより、かかるエレベータ装置において昇降路内落下物１６が発生したことを認識する。ここで、遠隔監視センタ１９の監視員は、当該エレベータ装置の監視カメラ１１から送信されたかご内画像を確認し（ステップＳ１０３）、遠隔操作によって蓋９の施錠装置９ａを解錠して良いかを判断する（ステップＳ１０４）。即ち、かご１が最下階の乗場５に停止しているか、かご１内の利用者が蓋９の上に立っていて危険ではないか、等を判断する。なお、かご１内の監視カメラ１１は、遠隔監視センタ１９の監視員がかご内画像からかご１内の状態及び蓋９の開閉状態を確認することができるように配置又は操作可能に構成されている。
【００１８】
ここで、監視員が監視カメラ１１のかご内画像から蓋９の施錠装置９ａを解錠することができないと判断した場合、インターホン１４を通じてかご１内の利用者にその旨を連絡し、必要があればかご１内の利用者に対して施錠装置９ａを解錠するために必要な操作及び動作等を指示する（ステップＳ１０５）。一方、監視員が、かご１が最下階の乗場５に停止していることを確認して、監視カメラ１１のかご内画像から蓋９の施錠装置９ａを解錠することができると判断した場合には、この監視員によって遠隔監視センタ１９から解錠信号が出力され、施錠装置９ａが遠隔操作により解錠される（ステップＳ１０６）。そして、かご１内の利用者は、監視員の指示に誘導されて蓋９を開ける。この時、検出スイッチ１０により蓋９が開放されたことが検出され、検出スイッチ１０から制御手段（図示せず）に対して蓋開放情報が出力される。そして、蓋開放情報が入力された制御手段により、エレベータの起動が停止される（ステップ１０７）。
【００１９】
監視員の案内により蓋９を開放したエレベータ利用者は、図１に示す落下物回収専用治具２０にて開口部８ａの直下部に配置された落下物受止部１５の収容部１５ａから昇降路内落下物１６を拾い上げる（ステップＳ１０８）。昇降路内落下物１６を回収後、エレベータ利用者は蓋９を閉め、インターホン１４にて監視員に昇降路内落下物１６を拾い上げた旨を報告する。この時、かご１内の監視カメラ１１の映像が遠隔監視センタ１９に送信される（ステップＳ１０９）。なお、昇降路内落下物１６を回収している際もかご内画像が遠隔監視センタ１９に送信されるようにして、監視員によってかご１内の状況が常時監視できるように構成しても構わない。
【００２０】
エレベータ利用者から昇降路内落下物１６を回収した旨の報告を受けた遠隔監視センタ１９の監視員は、当該エレベータ装置の監視カメラ１１から送信されたかご内画像を確認し（ステップＳ１１０）、遠隔操作によって蓋９の施錠装置９ａを施錠してよいかを判断する（ステップＳ１１１）。即ち、蓋９が確実に閉まっているか等を判断する。ここで、監視員が監視カメラ１１のかご内画像から蓋９の施錠装置９ａを施錠することができないと判断した場合、インターホン１４を通じてかご１内の利用者に蓋９を確実に閉めてほしい旨を連絡し、利用者に対して動作を促す（ステップＳ１１２）。一方、監視員が監視カメラ１１のかご内画像から蓋９の施錠装置９ａを施錠することができると判断した場合には、この監視員によって遠隔監視センタ１９から施錠信号が出力され、施錠装置９ａが遠隔操作により施錠される（ステップＳ１１３）。
【００２１】
また、検出スイッチ１０により蓋９が閉じられたことが検出されると、検出スイッチ１０から制御手段に対して蓋閉鎖情報が出力される。そして、蓋閉鎖情報が入力された制御手段により、エレベータの起動が再開される。なお、上記検出スイッチ１０は、施錠装置９ａの施錠及び解錠状態を検出して、施錠装置９ａが解錠された際に、エレベータの起動を停止させるように制御手段に対して解錠情報を出力するように構成しても良い。
【００２２】
この発明の実施の形態１によれば、エレベータ利用者が昇降路２内に鍵等を落としてしまった場合でも、この利用者自身がかご１内から容易に且つ迅速に昇降路内落下物１６を拾い上げることができる。なお、かかる場合においても、エレベータ利用者は蓋９の施錠装置９ａを解錠することができないため、通常運転時におけるいたずら等を防止して安全な運転を提供することが可能である。
【００２３】
また、昇降路内落下物１６を回収する落下物受止部１５が昇降路２内に突出するように設けられているため、従来のように建築物に落下物回収用の孔等を設ける必要は無く、既設エレベータ装置にも容易に且つ安価に設置することが可能である。即ち、かご１内の状況を外部から確認する確認手段と、かご床８からかご１の下方に通じる開口部８ａと、この開口部８ａを開閉する蓋９と、外部からの遠隔操作によって蓋９を施錠及び解錠する施錠装置９ａとを既設エレベータのかご１に新設し、昇降路内落下物１６を受け止めるとともに、受け止めた昇降路内落下物１６を開口部８ａの下方に案内する落下物受止部１５を既設エレベータの昇降路下部に新設すれば良い。なお、監視カメラ１１、インターホン１４等の確認手段は、既設のものが遠隔監視センタ１９に接続されている場合には、その既設のものを使用しても構わない。
【図面の簡単な説明】
【００２４】
【図１】この発明の実施の形態１におけるエレベータ装置の要部側面図である。
【図２】この発明の実施の形態１におけるエレベータ装置の要部平面図である。
【図３】この発明の実施の形態１における落下物受止部の取付配置図である。
【図４】この発明の実施の形態１におけるエレベータ装置のブロック図である。
【図５】昇降路内落下物が発生した際の動作を説明するフローチャートである。
【符号の説明】
【００２５】
１  かご
１ａ  乗場側昇降路壁
２  昇降路
３  かごドア
４  乗場ドア
５  乗場
６  かご枠
７  かご下支持部
８  かご床
８ａ  開口部
９  蓋
９ａ  施錠装置
１０  検出スイッチ
１１  監視カメラ
１２  インターホン釦
１３  かご内操作盤
１４  インターホン
１５  落下物受止部
１５ａ  収容部
１５ｂ  受け部
１６  昇降路内落下物
１７  通信端末装置
１８  公衆回線
１９  遠隔監視センタ
２０  落下物回収専用治具
【図１】
2006341965.tif 000003
【図２】
2006341965.tif 000004
【図３】
2006341965.tif 000005
【図４】
2006341965.tif 000006
【図５】
2006341965.tif 000007